(57)【特許請求の範囲】
【請求項１】
ポインティングデバイスと同一規格の入出力インタフェイスであり、前記ポインティングデバイスから出力される動作信号を入力する入力端子と、前記ポインティングデバイスにより操作される表示手段を有する装置に出力信号を出力する出力端子と、を備え、前記ポインティングデバイスと前記装置との間に接続され、前記ポインティングデバイスによる操作のエミュレートを行うセンサ付きポインティングデバイスエミュレータであって、
赤外線により人の存在を検知してまたは可視光線により車両の存在を検知してセンサ信号を出力するセンサと、
前記動作信号を前記入力端子から入力された順に記憶するメモリと、
スルーモード、ティーチィングモードまたは自動再生モードを選択するモード選択手段と、
前記モード選択手段により前記スルーモードが選択されているとき前記入力端子から入力された前記動作信号をそのまま前記出力信号として出力する手段と、前記モード選択手段により前記ティーチィングモードが選択されているとき前記表示手段に表示されるカーソルを所定の初期位置に移動してから前記入力端子から入力された前記動作信号を前記メモリに記憶するとともに前記出力信号として出力する手段と、前記モード選択手段により前記自動再生モードが選択されているとき前記表示手段に表示されるカーソルを所定の初期位置に移動してから前記センサから前記センサ信号が出力されたとき前記メモリに記憶された前記動作信号を順次出力して前記ポインティングデバイスによる操作のエミュレートを開始する手段と、を有する演算処理手段と、
を備え、
前記表示手段で前記検知信号に対応する操作のエミュレートを行うようにしたことを特徴とするセンサ付きポインティングデバイスエミュレータ。
【請求項２】
前記動作信号は、前記ポインティングデバイスの少なくともＸ，Ｙ方向の移動量、ボタン押下状態および操作時間を示すデータであることを特徴とする請求項１記載のセンサ付きポインティングデバイスエミュレータ。
【請求項３】
前記センサは、複数設けられ、複数の前記センサ信号の出力状態の組み合わせに基づいてエミュレートを行うことを特徴とする請求項１または２記載のセンサ付きポインティングデバイスエミュレータ。
【請求項４】
前記ポインティングデバイスが接続されていなくとも、前記メモリに記憶される前記動作信号に基づいてエミュレートを行うことが可能であることを特徴とする請求項１〜３のいずれか１項に記載のセンサ付きポインティングデバイスエミュレータ。
【請求項５】
前記ティーチィングモード時に接続されていた装置と異なる装置に接続しても、前記メモリに記憶される前記動作信号に基づいてエミュレートを行うことが可能であることを特徴とする請求項１〜４のいずれか１項に記載のセンサ付きポインティングデバイスエミュレータ。
【請求項６】
前記モード選択手段により選択されているモードを表示する表示手段を備えることを特徴とする請求項１〜５のいずれか１項に記載のセンサ付きポインティングデバイスエミュレータ。
【請求項７】
前記ポインティングデバイスは、ＵＳＢ規格である前記入出力インタフェイスを備えたマウスであることを特徴とする請求項１〜６のいずれか１項に記載のセンサ付きポインティングデバイスエミュレータ。
【発明の詳細な説明】
【技術分野】
【０００１】
本発明は、センサ付きポインティングデバイスエミュレータに関し、特に外部からの信号でマウス等のポインティングデバイスの操作手順を記憶・再生（エミュレート）することができるセンサ付きポインティングデバイスエミュレータに関する。
【背景技術】
【０００２】
最近の情報処理装置、特にパーソナルコンピュータ（パソコン）は、グラフィカルユーザインターフェイス（ＧＵＩ）を備え、アイコンを選択することでコンピュータの操作を行うイベントドリブン方式が広く採用されている。ＧＵＩを実装したＯＳ（オペレーティングシステム）には、マイクロソフト社のＷｉｎｄｏｗｓ（登録商標）等がある。図１に示すように、一般的なパソコンは、パソコン本体１０にモニタ１１、キーボード１２およびポインティングデバイス１３が接続される。実際に使用者が希望の操作をするためには、モニタ１１の画面上で入力位置や座標を指定する入力機器であるポインティングデバイス１３（マウス、トラックボール、トラックパッド等）で、カーソル１１ａを移動させてモニタ１１の画面上に表示される図形やアイコンを選択することでコンピュータの操作を行う。一般的に、従来のＰＣ／ＡＴ互換パソコンでは、ＰＳ／２のコネクター規格（６ピンのミニＤＩＮ規格）のポインティングデバイスが用いられていたが、最近では、ＵＳＢ（Ｕｎｉｖｅｒｓａｌ Ｓｅｒｉａｌ Ｂｕｓ）規格を使ったポインティングデバイスが用いられている。
【０００３】
一方でパソコンを使って案内表示、発表や会議等で使用する資料を作成・表示するためのプレゼンテーションソフトが開発されている。このようなプレゼンテーションでは、スライド形式で資料等を作成し、発表や表示の際は例えば作成時に設定したスケジュールに沿ってそのスライドを順次表示するスライドショーといった形式が用いられている。そしてプレゼンテーションソフトの多くは、画面を上述したポインティングデバイス等によりクリックすることで次の表示画面となるスライドショー形式を採っている。また、プレゼンテーションソフトの中には、容易に動画や音声を中に入れることも可能なものがある。代表的なプレゼンテーションソフトとしてはマイクロソフト社の「パワーポイント」（登録商標）等が良く知られている。
【０００４】
従来からお客様に対する案内表示として、ＰＯＰ（Ｐｏｉｎｔ Ｏｆ Ｐｕｒｃｈａｓｅ ａｄｖｅｒｔｉｓｉｎｇの略： 購買時点のこと）広告が用いられている。ＰＯＰ広告は、商店やホテル・旅館、催し物会場等において、比較的安価な費用で、高い効果が得られる案内ツール、販促ツールとして活用されている。同時に、お客様にとっても、自分の目的の進路の案内をしてくれたり、安心して商品を理解したりする為の重要な情報源となっている。
【０００５】
お客様に合った案内や広告を市販のプレゼンテーションソフトで簡単に作れて、容易に表示することができれば、案内や販売の分野で、サービスの向上と販売促進に大変効果があると考えられる。そして対象となるお客様に本当に見せたいものや伝えたい情報を、お客様が来た時点で提示することができれば、ＰＯＰ広告として大変有効と考えられる。既存のパソコンを使って、お客様が来店されたり、お客様が自動車で到着されたりした際に、イベント情報を簡単に一連のスライドや音声付動画で案内表示することができれば、ソフトの開発やハードの開発費用を大幅に削減することができて有用である。
【０００６】
従来、パソコンを使うとき、イベント情報を発生させる機器としては、ポインティングデバイスやキーボードが、通常使われてきた。またセンサ１４からの入力信号をパソコンに送るには、図２に示すようにパソコン本体１０にインターフェイスカード２０を取り付けて、Ｉ／Ｏの制御プログラムをインストールする必要があった。しかし、ハードウェアや、専用の制御用ソフトウエアであるドライバを開発する必要があり、機器が高価なものになった。
【０００７】
パソコンのポインティングデバイス等の入力機器に係る発明は、数多く提案されており、パソコン内にエミュレート機能を持たせた装置等が提案されている。例えば特許文献１には、装置の操作手順を容易に習得できるように、キーボードから入力されたキーコードを時系列的に記憶する手順登録機能と、手順登録機能によって記憶された一連のキーコードを、そのキーコードに応じた説明文とともに再現する手順再現機能を備えた情報処理装置が提案されている。
【０００８】
また特許文献２には、音楽を聴くためのメディアプレーヤの操作を簡易化するために、操作用のスイッチを付加したポインティングデバイスが開示されている。
【０００９】
一方で特許文献３には、センサと音声出力を付加し、センサが人を検知したときに、音声出力からメッセージを発することのできる看板が開示されている。
【特許文献１】特開平８−１６５１８号公報
【特許文献２】特開２００５−１４９４７７号公報
【特許文献３】特開平１０−９１１１２号公報
【発明の開示】
【発明が解決しようとする課題】
【００１０】
しかしながら特許文献１に開示される情報処理装置は、ポインティングデバイス本体でなく、パソコン自体にエミュレート機能を付加したもので、ポインティングデバイス内部に外部機器からのイベント情報を記憶させる記憶手段を持つものではない。このためエミュレータを行うためには、上述したような制御用のソフトウエア等が必要であった。
【００１１】
また特許文献２に開示されるポインティングデバイスは、任意のスイッチを操作することによりメディアプレーヤの特定の操作を行うことができる。しかしながらポインティングデバイスによりカーソルを移動させて一連の操作を実行させることはできなかった。
【００１２】
また特許文献３に開示される看板は、そもそも音声出力機能をセンサ信号のトリガで動作させるように構成されたものであって、パソコンのモニタ（表示機能）を使って所定の操作を行い、モニタ自体に広告等を表示するものではなかった。
【００１３】
従来から種々のポスター、案内や警告等を掲載した看板が使用されている。これらの看板は、所定位置に設置されたものや移動する車両等に設置されたものがある。看板は、広告として非常に重要で、商品案内や各施設（各商品コーナー、特設コーナー、会計レジ、案内所、トイレット、事務所、休憩室、遊戯コーナー、喫茶コーナー、喫煙室、携帯品預かり所、駐車・駐輪場、階段、エスカレータ、エレベータ等）の場所案内をする役割を持つ。またＣＲＴ等を利用した電子媒体を用いた看板であっても、通行人等に対して重要な役割を持つ。
【００１４】
ただし従来の看板や案内板は、メッセージを文字、記号、模様等により表したものであるので、単に設置してあっても、通行人が看板に目を止めずに通り過ぎてしまう場合も多い。またいくつもの看板がある場合、欲しい情報がどの看板にあるのか分からない場合もある。ＣＲＴ等のディスプレイを使った看板や案内板もあるが、人が来た時、一連の案内の途中から表示されても、何の案内なのかが分からないため、結局表示や看板を全部読まないと、表示内容が人に伝わらないという欠点があった。
【００１５】
通行人を呼び込む看板、通行人を検知して表示する看板や案内板を簡単に作成することができ、もし、看板が通行人の欲求に対し、それぞれの指示を変えてくれれば、案内する人が居るのと同じ効果が期待できる。従って、案内板に近づいた者、センサで捕らえた通行人の欲求に対して動的に案内を表示することができる動的案内板を提供することができる。
【００１６】
単に手動でマウス等のポインティングデバイスから指示を与えるのでなく、センサからの入力をトリガとして、マウスで行った操作をエミュレータすれば、任意のプログラムの動作や、表示を簡単に再現させることができる。
【００１７】
そこで本発明の目的は、上記の課題に鑑み、外部からの信号で、マウス等のポインティングデバイスの操作手順を記憶・再生することができる、すなわちエミュレートすることができるセンサ付きポインティングデバイスエミュレータを提供することにある。
【課題を解決するための手段】
【００１８】
本発明に係るセンサ付きポインティングデバイスエミュレータは、上記の目的を達成するために、次のように構成される。
【００１９】
第１のセンサ付きポインティングデバイスエミュレータ（請求項１に対応）は、上記の構成において、好ましくは、ポインティングデバイスと同一規格の入出力インタフェイスであり、ポインティングデバイスから出力される動作信号を入力する入力端子と、ポインティングデバイスにより操作される表示手段を有する装置に出力信号を出力する出力端子と、を備え、ポインティングデバイスと装置との間に接続され、ポインティングデバイスによる操作のエミュレートを行うセンサ付きポインティングデバイスエミュレータであって、赤外線により人の存在を検知してまたは可視光線により車両の存在を検知してセンサ信号を出力するセンサと、動作信号を入力端子から入力された順に記憶するメモリと、スルーモード、ティーチィングモードまたは自動再生モードを選択するモード選択手段と、モード選択手段によりスルーモードが選択されているとき入力端子から入力された動作信号をそのまま出力信号として出力するステップと、モード選択手段によりティーチィングモードが選択されているとき表示手段に表示されるカーソルを所定の初期位置に移動してから入力端子から入力された動作信号をメモリに記憶するとともに出力信号として出力するステップと、モード選択手段により自動再生モードが選択されているとき表示手段に表示されるカーソルを所定の初期位置に移動してからセンサからセンサ信号が出力されたときメモリに記憶された動作信号を順次出力してポインティングデバイスによる操作のエミュレートを開始するステップと、を有する演算処理手段と、を備え、表示手段で検知信号に対応する操作のエミュレートを行うようにしたことを特徴とする。
【００２０】
上記のセンサ付きポインティングデバイスエミュレータでは、赤外線により人の存在を検知してまたは可視光線により車両の存在を検知してセンサ信号を出力するセンサを有し、パソコン等に接続される従来のマウス等のポインティングデバイスを用いて、そのポインティングデバイスとパソコンとの間にエミュレート機能を持たせることにより、使用上も機能的にも、従来のシステムに何ら影響を与えない。ポインティングデバイスのインタフェイスにパソコンと同じ規格、すなわち、パソコンがＰＳ／２ならＰＳ／２の規格を、パソコンがＵＳＢならＵＳＢの規格を持たせることで、パソコンとの接続が簡単になるため、低コストでエミュレート機能を提供することが可能となる。
【００２１】
またスルーモードでは、このセンサ付きポインティングデバイスエミュレータは、マウス等のポインティングデバイスからの信号を受け渡すだけで、通常のポインティングデバイスと何ら変わらない。またティーチングモードでは、ポインティングデバイスは、カーソルをあらかじめ決めた所定の位置に移動し、出発原点を決め、マウス等のポインティングデバイスからの信号により、その点からの動き、操作を記憶する。動作信号のデータとしては、例えばクリック位置に対して、マウス等のポインティングデバイスからの移動位置データを積算し、記憶する。移動後の位置で、ポインティングデバイスボタンがクリック等の操作された際に限り、マウスカーソルの表示位置とその操作内容（例えば、押されたボタンの種類）を示す情報を記憶する。そして自動再生モードでは、ポインティングデバイスは、あらかじめ決めた所定の位置に移動し、出発原点とし、センサ信号の入力を待つ。センサ信号が入力されると、ティーチングモード時に記憶された一連の動作を行うための動作信号を出力し、再度センサからの入力信号を待つ。
【００２２】
マウス等のポインティングデバイスは、現在位置からの相対的な移動量で動作するのに対し、このポインティングデバイスは、あらかじめ決めた所定の位置に移動し、出発原点を決める。ポインティングデバイスは、相対移動量を送受信するので、モニタ上の位置を毎回確定するためには、出発原点からの動作である必要となる。ティーチングモード、自動再生モードでは、原点を決めることでモニタ上の初期位置が確定され、その位置からエミュレーション動作を行うことが可能となる。
【００２３】
第２のセンサ付きポインティングデバイスエミュレータ（請求項２に対応）は、上記の構成において、好ましくは、動作信号は、ポインティングデバイスの少なくともＸ，Ｙ方向の移動量、ボタン押下状態および操作時間を示すデータであることを特徴とする。
【００２６】
第３のセンサ付きポインティングデバイスエミュレータ（請求項３に対応）は、上記の構成において、好ましくは、センサは、複数設けられ、複数のセンサ信号の出力状態の組み合わせに基づいてエミュレートを行うことを特徴とする。
【００２７】
上記のセンサ付きポインティングデバイスエミュレータでは、外部からのセンサ入力信号を複数用いることで、例えば赤外線を利用した人検知センサだけでなく、体重、重量や背丈などの判別するセンサ信号の入力を可能にし、各お客様の欲求に対応するエミュレートを可能とする。勿論、複数のセンサとセンサ付きポインティングデバイスエミュレータとが一体化していても何ら問題はなく、複数のセンサ信号を端子から入力することが可能となる。
【００２８】
第４のセンサ付きポインティングデバイスエミュレータ（請求項４に対応）は、上記の構成において、好ましくは、ポインティングデバイスが接続されていなくとも、メモリに記憶される動作信号に基づいてエミュレートを行うことが可能であることを特徴とする。
【００２９】
上記のセンサ付きポインティングデバイスエミュレータでは、センサ付きポインティングデバイスエミュレータ内部のメモリがエミュレートを行うために必要なデータを記憶している。つまりパソコンにこのセンサ付きポインティングデバイスエミュレータを接続すれば、ポインティングデバイスが接続されていることと同じことになるので、自動再生モード中は、マウス等のポインティングデバイスを外すことで、外部からの不要な操作をなくすことが可能となる。
【００３０】
第５のセンサ付きポインティングデバイスエミュレータ（請求項５に対応）は、上記の構成において、好ましくは、ティーチィングモード時に接続されていた装置と異なる装置に接続しても、メモリに記憶される動作信号に基づいてエミュレートを行うことが可能であることを特徴とする。
【００３１】
上記のセンサ付きポインティングデバイスエミュレータでは、使用する１チップマイコンにもよるが、電源を切断するとメモリに記憶されているデータが消えてしまうマイコンであれば、電池等のバックアップにより記憶した動作信号を保持させて、パソコンから切り離して他のパソコンに接続しても、同じエミュレートを行うことが可能となる。
【００３２】
第６のセンサ付きポインティングデバイスエミュレータ（請求項６に対応）は、上記の構成において、好ましくは、モード選択手段により選択されているモードを表示する表示手段を備えることを特徴とする。
【００３３】
上記のセンサ付きポインティングデバイスエミュレータでは、選択されているモードを確認するための表示手段により、現在どのモードで動作しているのかを、操作する人に対して容易に把握させることが可能となる。
【００３４】
第７のセンサ付きポインティングデバイスエミュレータ（請求項７に対応）は、上記の構成において、好ましくは、ポインティングデバイスは、ＵＳＢ規格である入出力インタフェイスを備えたマウスであることを特徴とする。
【００３５】
上記のセンサ付きポインティングデバイスエミュレータでは、ＵＳＢ入出力の場合には、内部のメモリに記憶されるデータをパソコンから直接ダウンロードする機能や、逆にアップロードさせる機能を追加することも可能となる。この機能を使えば、エミュレートする装置が複数台であっても、再度同じ動作を行うことが可能となる。
【発明の効果】
【００３６】
パソコンに接続される従来のマウス等のポインティングデバイスを用いて、パソコンとポインティングデバイスとの間にエミュレート機能を持つセンサ付きポインティングデバイスエミュレータを挟み込むことにより、容易に入手できる市販のソフトウエアを使い、従来のシステムに何ら影響を与えないで、簡単に、お客様に合った案内や広告のシステムを構築することができる。これにより、案内サービスを向上させたり、販売を促進させたりすることができる。
【実施例】
【００３７】
以下に、本発明の好適な実施形態（実施例）を添付図面に基づいて詳細に説明する。
まず図３および図４を参照して、本発明に係るセンサ付きポインティングデバイスエミュレータの接続形態および構成を説明する。図３は本発明に係るセンサ付きポインティングデバイスエミュレータが接続された一般的なパソコンの構成を示す模式図であり、図４は本発明に係るセンサ付きポインティングデバイスエミュレータの構成を示すブロック図である。図３に示すように、センサ付きポインティングデバイスエミュレータ２１は、入力端子と出力端子とを介し、パソコン本体１０とポインティングデバイス１３との間に接続される。また図４に示すように、センサ付きポインティングデバイスエミュレータ２１は、１チップマイコン３０を搭載している。この１チップマイコン３０には、各モードの選択ＳＷ（スイッチ）３１とセンサ信号を出力する人検知回路（赤外線人検知センサ）３２が入力ポート（センサ入力Ｓ１〜Ｓ３、ＳＷ入力ＳＷ１〜ＳＷ３）に、パソコン本体１０への出力信号と各モードの選択ＳＷ３１の確認表示ＬＥＤ３３ａ〜３３ｃが出力ポート（ＬＥＤ出力Ｏ１〜Ｏ３）に、それぞれ接続される。この実施形態では、１チップマイコン３０上に搭載されたＣＰＵ３４を使っている。ここで１チップマイコン３０とポインティングデバイス１３およびパソコン本体１０とは、それぞれ２本の通信ラインで接続されている。
【００３８】
ここで図５にモードの種類と各モードが選択されたときの動作概要を説明する。図５（ａ）〜（ｃ）は、各モードが選択された際の処理の流れを示すフローチャートである。図５（ａ）に示すように、１チップマイコン３０は、選択ＳＷ３１でスルーモードＳＷ３１ａが選択されている場合、マウス等のポインティングデバイス１３からの入力（動作信号）を、１チップマイコン３０のＣＰＵ３４に入力し、パソコン本体１０に動作信号をそのまま出力する（ステップＳ１０１）。このとき１チップマイコン３０は、スルーモードであることを示す表示ＬＥＤ３３ａを表示させる。従って、スルーモードで使用者がパソコンを使うとき、従来のパソコンシステムと同じであり、パソコンシステムに影響を与えないことになる。
【００３９】
また図５（ｂ）に示すように、１チップマイコン３０は、選択ＳＷ３１でティーチングモードＳＷ３１ｂが選択されているときには、ティーチングモードであることを示す表示ＬＥＤ３３ｂを表示させる。あらかじめ決めた所定の位置にポインティングデバイス１３で操作されるカーソル１１ａを移動し（ステップＳ２０１）、マウス等のポインティングデバイスからの入力（動作信号）を操作手順として時間とともに記憶し（ステップＳ２０２）、パソコン本体１０に動作信号を出力する（ステップＳ２０３）。これにより、ポインティングデバイス１３の動きを記憶する。
【００４０】
また図５（ｃ）に示すように、１チップマイコン３０は、選択ＳＷ３１で自動再生モードＳＷ３１ｃが選択されているときは、自動再生モードであることを示す表示ＬＥＤ３３ｃを表示させる。マウス等のポインティングデバイス１３により操作されるカーソル１１ａをあらかじめ決めた所定の位置に移動し（ステップＳ３０１）、その移動先を出発原点とし、センサ信号の入力を待つ（ステップＳ３０２のＮＯ）。センサ信号が入力されると（ステップＳ３０２のＹＥＳ）、ティーチングモード時に記憶された一連の動作を行うために必要な動作信号を出力し（ステップＳ３０３）、ステップＳ３０１に戻り再度センサからの入力信号を待つ。これにより、ティーチングモードで記憶したポインティングデバイスの動き通りにカーソル１１ａが移動し、予め指示した画面が表示されることになる。
【００４１】
続いて図６を参照して、ポインティングデバイスの動作信号のデータフォーマットを説明する。図６は、ポインティングデバイスの動作信号のデータフォーマットの一例を示す表である。１チップマイコン３０の内部に記憶することができるポイントの数は、使用するＣＰＵ３４の記憶容量にもよるが、図６に示した４バイト形式のデータフォーマットをそのまま使えば、比較的容易に手に入る安価な１チップマイコンに搭載されたＣＰＵの記憶容量であっても数百点程度となる。従って、数百点程度の指示をパソコン本体１０に送ることができる。動作信号のデータが１チップマイコン３０の内部のメモリに記憶されるので、エミュレート対象となるパソコンではなく、他のパソコンで操作を記憶させ、エミュレート対象となるパソコンに接続して、記憶させた操作通りにエミュレート動作させることもできる。
【００４２】
また図７を参照して、ティーチングモード時の記憶処理の流れを説明する。図７（ａ）および（ｂ）は、ティーチングモード時の記憶処理の流れを示すフローチャートおよび模式図である。図７（ａ）および（ｂ）に示すように、ＣＰＵ３４は、ティーチングモードの時、初期動作後（ステップＳ４０１）、所定の位置（出発原点）から、モニタ１１上を移動するカーソル１１ａの動きを記憶する（ステップＳ４０２〜ステップＳ４０５）。
【００４３】
図８を参照して、赤外線を用いて通行人４０を検知し、その通行人４０に対し案内をする状況を模式的に説明する。図８は、人検知により案内表示を行う状況を示す模式図である。図中に示すモニタ１１で案内するものは、方向以外にも、例えば地図、商品であっても構わない。センサ付きポインティングデバイスエミュレータ２１に、通行人４０の背丈を判別するセンサを付加し、このセンサの出力結果と人検知回路（赤外線人検知センサ）３２の出力結果とのＡＮＤ演算値を採ることで、背丈に応じて人を感知することのできるシステムとなる。例えば大人と子供を背丈で判別することができるとすれば、子供用の案内と大人用の案内を表示するシステムを安価に構成することができる。センサ付きポインティングデバイスエミュレータ２１に用いるセンサは、これ以外にも、検知対象となる人や物の重さや幅を判別するものであっても構わない。
【００４４】
また図９を参照して、可視光線を用いて車両４２を検知し、その車両４２に対し案内をする状況を模式的に説明する。図９は、車両検知により案内表示を行う状況を示す模式図である。センサ付きポインティングデバイスエミュレータ２１に、車両４２の重さや高さ、幅、長さを判別するセンサを付加して、車両４２の車種を自動で判別し、モニタ１１にその車両４２に合った方向や指示を与えるシステムを構築することもできる。
【００４５】
更に、本発明に係わるセンサ付きポインティングデバイスエミュレータは、案内板や商品のＰＯＰ広告に用いることに限定されず、立ち入り禁止である旨を知らせるシステムや、自動車の通過信号を入力信号とした交通システム等への応用が考えられる。つまりこのセンサ付きポインティングデバイスエミュレータに各種のセンサを接続することで、センサから入力された信号をトリガとして、表示が変わるシステムを容易に構成することが出来る。センサ付きポインティングデバイスエミュレータは、簡易な構成ながら、サービスの向上と広告の省力化が図れるといった観点で、有用性、発展性のあるシステムを構築することができる。
【産業上の利用可能性】
【００４６】
本発明は、パソコン等に接続され、人や物に応じて案内やＰＯＰ広告等を行うためにマウス等のポインティングデバイスの操作手順を記憶・再生（エミュレート）するセンサ付きポインティングデバイスエミュレータとして用いられる。
【図面の簡単な説明】
【００４７】
【図１】一般的な入出力インタフェイスを備えたパソコンの構成を示す模式図である。
【図２】センサを接続する際のパソコンの構成例を示す模式図である。
【図３】本発明に係るセンサ付きポインティングデバイスエミュレータが接続された一般的なパソコンの構成を示す模式図である。
【図４】本発明に係るセンサ付きポインティングデバイスエミュレータの構成を示すブロック図である。
【図５】各モードが選択された際の処理の流れを示すフローチャートである。
【図６】ポインティングデバイスの動作信号のデータフォーマットの一例を示す表である。
【図７】ティーチングモード時の記憶処理の流れを示すフローチャートおよび模式図である。
【図８】人検知により案内表示を行う状況を示す模式図である。
【図９】車両検知により案内表示を行う状況を示す模式図である。
【符号の説明】
【００４８】
１０．．．パソコン本体
１１．．．モニタ
１２．．．キーボード
１３．．．ポインティングデバイス
１４．．．センサ
２０．．．インターフェイスカード
２１．．．センサ付きポインティングデバイスエミュレータ
３０．．．１チップマイコン
３１．．．選択（ＳＷ）スイッチ
３１ａ．．．スルーモードＳＷ
３１ｂ．．．ティーチングモードＳＷ
３１ｃ．．．自動再生モードＳＷ
３２．．．人検知回路（赤外線センサ）
３３ａ〜３３ｃ．．．表示ＬＥＤ
３４．．．ＣＰＵ
４０．．．通行人
４２．．．車両
【図１】
0004521348.tif 000002
【図２】
0004521348.tif 000003
【図３】
0004521348.tif 000004
【図４】
0004521348.tif 000005
【図５】
0004521348.tif 000006
【図６】
0004521348.tif 000007
【図７】
0004521348.tif 000008
【図８】
0004521348.tif 000009
【図９】
0004521348.tif 000010